【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
神経組織をイメージングする方法において、
身体部位を有する患者の生体内ボリュームをイメージングする機能的イメージングモダリティから機能的イメージングモダリティデータを取得するステップであって、前記患者は、自律神経系（ＡＮＳ）による神経組織内取込みを有する造影剤を注入されている、ステップと、
身体部位を有する患者の生体内ボリュームをイメージングする解剖学的イメージングモダリティから解剖学的イメージングモダリティデータを取得するステップと、
前記機能的イメージングモダリティデータおよび前記解剖学的イメージングモダリティデータに基づき前記生体内ボリュームにおいて前記神経組織の位置を決定するステップと、
を含むことを特徴とする方法。
【請求項２】
請求項１に記載の方法において、さらに、
前記解剖学的イメージングモダリティデータを処理して少なくとも１の画像マスクを生成するステップと、
機能的画像の再構成をガイドするため前記少なくとも１の画像マスクを前記機能的イメージングモダリティデータと相関付けるステップと、を含むことを特徴とする方法。
【請求項３】
請求項２に記載の方法において、さらに、前記解剖学的イメージングモダリティデータから解剖学的画像を再構成し、前記機能的イメージングモダリティデータから機能的画像を再構成するステップを含み、前記画像マスクが、解剖学的画像のボリューム又はエリアを対応する機能的画像と相関付けるための、３Ｄボリューム又は２Ｄエリアのマッピングであることを特徴とする方法。
【請求項４】
請求項１に記載の方法において、位置を決定するステップが、最大直径が１〜２０ｍｍのサイズの、前記ＡＮＳの少なくとも１つの神経節叢（ＧＰ）の位置を決定するステップを含むことを特徴とする方法。
【請求項５】
請求項１に記載の方法において、位置を決定するステップが、最大直径が１〜２０ｍｍのサイズの、前記ＡＮＳの少なくとも２つの神経節叢（ＧＰ）の位置を決定するステップを含むことを特徴とする方法。
【請求項６】
請求項１に記載の方法において、ＡＮＳシナプス及び神経節叢（ＧＰ）の一方又は両方の分布及び／又は活性を含むＡＮＳマップを生成するステップと、表示のため前記ＡＮＳマップを提供するステップとをさらに含むことを特徴とする方法。
【請求項７】
請求項６に記載の方法において、前記ＡＮＳマップを、前記神経組織を含む臓器の画像表現とオーバーレイするステップをさらに含むことを特徴とする方法。
【請求項８】
請求項１に記載の方法において、前記ＡＮＳがその画像と連動して刺激された場合の当該刺激及び前記イメージングに基づき求心性活性と遠心性活性とを区別するステップとをさらに含むことを特徴とする方法。
【請求項９】
請求項１に記載の方法において、患者の生体内ボリュームにおける神経組織が刺激されて惹起される参照取込み値に関連する神経応答中に、前記生体内ボリュームをイメージングする前記機能的モダリティから機能的データを取得するステップと、前記参照取込み値に従い前記生体内ボリュームにおける前記神経組織の位置を特定するステップとをさらに含むことを特徴とする方法。
【請求項１０】
請求項１に記載の方法において、位置を特定するステップが、前記生体内ボリュームの少なくともある領域における前記造影剤の所定の動的挙動パターンを同定するステップを含むことを特徴とする方法。
【請求項１１】
患者の生体内ボリュームの画像内でＡＮＳ成分を同定するためのシステムにおいて、
神経組織を含む身体部位を有する患者の生体内ボリュームをイメージングする機能的イメージングモダリティから機能的イメージングモダリティデータを受け取るモジュールであって、前記患者は、自律神経系（ＡＮＳ）による神経組織内取込みを有する造影剤を注入されている、モジュールと、
前記身体部位を含む前記患者の生体内ボリュームをイメージングする解剖学的イメージングモダリティから解剖学的イメージングモダリティデータを取得するモジュールと、
前記機能的イメージングモダリティデータに基づき前記生体内ボリュームにおいて前記神経組織の位置を決定するモジュールと、
前記解剖学的イメージングモダリティデータを前記機能的イメージングモダリティデータと組み合わせるモジュールと、
を含むことを特徴とするシステム。
【請求項１２】
請求項１１に記載のシステムにおいて、前記機能的イメージングモダリティが、心電図ゲート単一光子放射断層撮影（ＧＳＰＥＣＴ）モダリティ、ＳＰＥＣＴ−ＣＴモダリティ及びＤ−ＳＰＥＣＴモダリティ、及び／又はＡ−ＳＰＥＣＴからなる群から選択されることを特徴とするシステム。
【請求項１３】
請求項１１に記載のシステムにおいて、前記解剖学的イメージングモダリティが、陽電子放出型断層撮影（ＰＥＴ）モダリティ、コンピュータ断層撮影（ＣＴ）モダリティ、磁気共鳴画像（ＭＲＩ）モダリティ、及び超音波モダリティからなる群から選択されることを特徴とするシステム。
【請求項１４】
請求項１１に記載のシステムにおいて、ＡＮＳシナプス及び神経節叢（ＧＰ）の一方又は両方の分布及び／又は活性を含むＡＮＳマップを生成するモジュールをさらに含むことを特徴とするシステム。
【請求項１５】
請求項１１に記載のシステムにおいて、前記神経組織が少なくとも１つの神経節叢（ＧＰ）を含むことを特徴とするシステム。
【請求項１６】
請求項１１に記載のシステムにおいて、神経支配を受ける組織における神経節及びシナプス密度の一方又は両方を同定するため、注入、取得及び／又は再構成のうちの１つ以上を制御するようにプログラムされたイメージング装置をさらに含むことを特徴とするシステム。
【請求項１７】
請求項１１に記載のシステムにおいて、前記機能的イメージングモダリティデータおよび／または前記解剖学的イメージングモダリティデータに基づき、組織ボリューム又は臓器に関するシナプス及び／又は神経節の分布の２Ｄ又は３Ｄ又はそれより高次元のマップを表示するようにプログラムされた出力要素をさらに含むことを特徴とするシステム。
【請求項１８】
請求項１１に記載のシステムにおいて、２〜６個の神経節叢（ＧＰ）が同定されることを特徴とするシステム。
【請求項１９】
請求項１８に記載のシステムにおいて、前記同定された神経節叢（ＧＰ）の前記サイズが約２×２×２ｍｍ〜約４×４×４ｍｍの範囲であることを特徴とするシステム。
【請求項２０】
請求項１１に記載のシステムにおいて、解剖学的画像上に個別化されたＡＮＳマップを表示するモジュールをさらに含むことを特徴とするシステム。
【請求項２１】
請求項２０に記載のシステムにおいて、前記解剖学的画像上に活性レベルが表示されることを特徴とするシステム。
【請求項２２】
神経組織をイメージングする方法において、
身体部位を有する患者の生体内ボリュームをイメージングする機能的イメージングモダリティから機能的イメージングモダリティデータを取得するステップであって、前記患者は、自律神経系（ＡＮＳ）による神経組織内取込みを有する造影剤を注入されている、ステップと、
前記機能的イメージングモダリティデータに基づき前記生体内ボリュームにおいて前記神経組織の位置を決定するステップとを含み、位置を決定するステップは、最大直径が１〜２０ｍｍのサイズの、前記ＡＮＳの少なくとも１の神経節叢（ＧＰ）の位置を決定することを含む、ことを特徴とする方法。
【請求項２３】
請求項２２に記載の方法において、ＡＮＳシナプス及びＧＰの一方又は両方の分布及び／又は活性を含むＡＮＳマップを生成するステップと、表示のため前記ＡＮＳマップを提供するステップとをさらに含むことを特徴とする方法。
【請求項２４】
請求項２２に記載の方法において、前記ＡＮＳマップを、前記神経組織を含む臓器の画像表現とオーバーレイするステップをさらに含むことを特徴とする方法。